(57)【要約】      （修正有）【課題】他者との間を空間的に隔離しつつ、他者とのコミュニケーションを適度に取ることが可能な衝立を提供する。【解決手段】衝立１０は、左右方向に対向する一対の側縁１ａを有する遮蔽パネル１と、一対の側縁１ａに接続される一対の側面パネル２と、遮蔽パネル１又は一対の側面パネル２から延出し、遮蔽パネル１と一対の側面パネル２とを、一対の側面パネル２同士が対向するように平面視でコ字状に固定する一対のロック片３とを備え、遮蔽パネル１、一対の側面パネル２及び一対のロック片３が１枚のシート材から形成されており、遮蔽パネル１が窓部１ｂを有し、窓部１ｂを覆う透明な樹脂フィルム４をさらに備える。【選択図】図１
0003227425.tif 000002
【実用新案登録請求の範囲】
【請求項１】
左右方向に対向する一対の側縁を有する遮蔽パネルと、
上記一対の側縁に接続される一対の側面パネルと、
上記遮蔽パネル又は上記一対の側面パネルから延出し、上記遮蔽パネルと上記一対の側面パネルとを、上記一対の側面パネル同士が対向するように平面視でコ字状に固定する一対のロック片と
を備え、
上記遮蔽パネル、上記一対の側面パネル及び上記一対のロック片が１枚のシート材から形成されており、
上記遮蔽パネルが窓部を有し、
上記窓部を覆う透明な樹脂フィルムをさらに備える衝立。
【請求項２】
上記一対のロック片が、上記一対の側面パネルの上縁から延出しており、
上記ロック片が上記一対の側面パネルの対向方向内側に垂直に折り曲げられており、
上記遮蔽パネルが、折り曲げられた状態の上記一対のロック片を下方から支持する一対の支持部と、上記一対の支持部同士の間から上方に突出し、上記一対のロック片の先端縁と係合する凸部とを有する請求項１に記載の衝立。
【請求項３】
上記凸部及び上記一対のロック片が互いに咬合するスリットを有する請求項２に記載の衝立。
【請求項４】
上記凸部の先端縁から延出し、上記樹脂フィルムを挟み込んだ状態で上記遮蔽パネルに折り重ねられている枠パネルをさらに備え、
上記枠パネルが上記窓部と重なり合う開口を有する請求項３に記載の衝立。
【請求項５】
上記枠パネルが、上記ロック片に形成された上記スリットと咬合するスリットを有する請求項４に記載の衝立。
【考案の詳細な説明】
【技術分野】
【０００１】
本考案は、衝立に関する。
【背景技術】
【０００２】
机上に配置され、オフィス等の室内空間を仕切るための衝立が用いられている。このような衝立として、高分子発泡樹脂からなる基部と、発泡性の多孔材や織布等からなり、基部に積層される吸音部とを有する複数の壁部をヒンジ部で接続した折り畳み衝立が発案されている（特開２０１９−１９６６４０号公報参照）。
【先行技術文献】
【特許文献】
【０００３】
【特許文献１】特開２０１９−１９６６４０号公報
【考案の概要】
【考案が解決しようとする課題】
【０００４】
上記公報に記載されているような従来の衝立は、作業者が集中できるように他者との間に隔絶した空間を形成することを意図している。一方、今日では、衛生的な観点から他者との間に隔絶した空間を形成することへの要求が高まっている。この場合、他者との間を空間的に隔絶しつつ、他者とのコミュニケーションを適度に取ることができることが望まれる。
【０００５】
しかしながら、上記公報に記載されている衝立は、壁部によって外部の空間と視覚的に遮断されると共に、吸音部によって聴覚的にも遮断されるため、他者とのコミュニケーションを取り難い。
【０００６】
本考案は、このような不都合に鑑みてなされたものであり、他者との間を空間的に隔離しつつ、他者とのコミュニケーションを適度に取ることが可能な衝立を提供することを目的とする。
【課題を解決するための手段】
【０００７】
本考案の一態様に係る衝立は、左右方向に対向する一対の側縁を有する遮蔽パネルと、上記一対の側縁に接続される一対の側面パネルと、上記遮蔽パネル又は上記一対の側面パネルから延出し、上記遮蔽パネルと上記一対の側面パネルとを、上記一対の側面パネル同士が対向するように平面視でコ字状に固定する一対のロック片とを備え、上記遮蔽パネル、上記一対の側面パネル及び上記一対のロック片が１枚のシート材から形成されており、上記遮蔽パネルが窓部を有し、上記窓部を覆う透明な樹脂フィルムをさらに備える。
【考案の効果】
【０００８】
本考案の一態様に係る衝立によると、他者との間を空間的に隔離しつつ、他者とのコミュニケーションを適度に取ることが可能である。
【図面の簡単な説明】
【０００９】
【図１】図１は、本考案の一実施形態に係る衝立を示す模式的斜視図である。
【図２】図２は、図１の衝立の図１とは異なる方向から見た模式的斜視図である。
【図３】図３は、図１の衝立の遮蔽パネル、一対の側面パネル、一対のロック片及び枠パネルに組み立てられるシートを示す模式的平面図（展開図）である。
【図４】図４は、図１の衝立の遮蔽パネル及び枠パネルに形成されたスリットを示す模式的斜視図である。
【図５】図５は、図１の衝立の遮蔽パネル及び枠パネルとロック片との接続部分を示す模式的斜視図である。
【考案を実施するための形態】
【００１０】
［本考案の実施形態の説明］
最初に本考案の実施態様を列記して説明する。
【００１１】
本考案の一態様に係る衝立は、左右方向に対向する一対の側縁を有する遮蔽パネルと、上記一対の側縁に接続される一対の側面パネルと、上記遮蔽パネル又は上記一対の側面パネルから延出し、上記遮蔽パネルと上記一対の側面パネルとを、上記一対の側面パネル同士が対向するように平面視でコ字状に固定する一対のロック片とを備え、上記遮蔽パネル、上記一対の側面パネル及び上記一対のロック片が１枚のシート材から形成されており、上記遮蔽パネルが窓部を有し、上記窓部を覆う透明な樹脂フィルムをさらに備える。
【００１２】
当該衝立は、上記遮蔽パネル及び上記一対の側面パネルが上記一対のロック片によって平面視でコ字状に固定されるので、この状態で机上等に配置することができる。当該衝立は、上記遮蔽パネルが窓部を有するので、この窓部を介して他者を視認することができる。また、当該衝立は、上記窓部が透明な樹脂フィルムによって覆われているので、上記窓部を有する場合でも、他者との間を空間的に隔離することができる。従って、当該衝立によると、他者との間を空間的に隔離しつつ、上記窓部を介して他者とのコミュニケーションを適度に取ることができる。
【００１３】
上記一対のロック片が、上記一対の側面パネルの上縁から延出しており、上記ロック片が上記一対の側面パネルの対向方向内側に垂直に折り曲げられており、上記遮蔽パネルが、折り曲げられた状態の上記一対のロック片を下方から支持する一対の支持部と、上記一対の支持部同士の間から上方に突出し、上記一対のロック片の先端縁と係合する凸部とを有するとよい。このように、上記一対のロック片が、上記一対の側面パネルの上縁から延出しており、上記ロック片が上記一対の側面パネルの対向方向内側に垂直に折り曲げられており、上記遮蔽パネルが、折り曲げられた状態の上記一対のロック片を下方から支持する一対の支持部と、上記一対の支持部同士の間から上方に突出し、上記一対のロック片の先端縁と係合する凸部とを有することによって、上記一対のロック片によって上記遮蔽パネル及び上記一対の側面パネルを容易かつ確実に固定することができる。
【００１４】
当該衝立は、上記凸部及び上記一対のロック片が互いに咬合するスリットを有するとよい。このように、当該衝立は、上記凸部及び上記一対のロック片が互いに咬合するスリットを有することによって、上記一対のロック片と上記遮蔽パネルとを容易かつ確実に係合することができる。また、この構成によると、上記一対のロック片と上記遮蔽パネルとの着脱が容易となる。その結果、上記一対のロック片と上記遮蔽パネルとの係合を解除した状態での保管が容易となる。
【００１５】
当該衝立は、上記凸部の先端縁から延出し、上記樹脂フィルムを挟み込んだ状態で上記遮蔽パネルに折り重ねられている枠パネルをさらに備え、上記枠パネルが上記窓部と重なり合う開口を有するとよい。このように、当該衝立は、上記凸部の先端縁から延出し、上記樹脂フィルムを挟み込んだ状態で上記遮蔽パネルに折り重ねられている枠パネルをさらに備え、上記枠パネルが上記窓部と重なり合う開口を有することによって、上記樹脂フィルムを上記窓部を覆った状態で安定的に保持しやすい。
【００１６】
上記枠パネルが、上記ロック片に形成された上記スリットと咬合するスリットを有するとよい。このように、上記枠パネルが、上記ロック片に形成された上記スリットと咬合するスリットを有することによって、上記遮蔽パネル及び上記枠パネルを上記ロック片に対して一体的に係合することができる。これにより、上記一対のロック片によって上記遮蔽パネル及び上記一対の側面パネルをより確実に固定することができる。
【００１７】
なお、本考案において、「左右方向」とは、一般的な使用態様における水平方向を意味する。また、「上」及び「下」とは、一般的な使用態様における上下を意味する。
【００１８】
［本考案の実施形態の詳細］
以下、適宜図面を参照しつつ、本考案の実施の形態を詳説する。
【００１９】
［衝立］
図１及び図２の衝立１０は、左右方向に対向する一対の側縁１ａを有する遮蔽パネル１と、一対の側縁１ａに接続される一対の側面パネル２と、一対の側面パネル２から延出し、遮蔽パネル１と一対の側面パネル２とを、一対の側面パネル２同士が対向するように平面視でコ字状に固定する一対のロック片３とを備える。遮蔽パネル１は窓部１ｂを有する。当該衝立１０は、窓部１ｂを覆う透明な樹脂フィルム４を備える。さらに、当該衝立１０は、遮蔽パネル１の上縁から延出し、樹脂フィルム４を挟み込んだ状態で遮蔽パネル１に折り重ねられる枠パネル５を備える。遮蔽パネル１、一対の側面パネル２、一対のロック片３及び枠パネル５は、１枚のシート材から形成されている。より詳しくは、遮蔽パネル１、一対の側面パネル２、一対のロック片３及び枠パネル５は、図３のシート２０から形成されている。当該衝立１０は、例えばオフィスに設置されるデスクの天板Ｘ上に配置される。
【００２０】
シート２０は、例えば段ボールシート、ボール紙等の紙製シート、合成樹脂製シート、紙製シートと合成樹脂製シートとの積層シート等から構成される。中でも、加工性、取扱性、リサイクル性、経済性等の点から紙製シートが好ましく、段ボールシートが特に好ましい。すなわち、遮蔽パネル１、一対の側面パネル２、一対のロック片３及び枠パネル５は、１枚の段ボールシートを折り曲げて形成されることが好ましい。この構成によると、当該衝立１０の組み立てが容易であると共に、組み立て後の状態での姿勢の安定性に優れる。また、遮蔽パネル１に一対の側面パネル２及び枠パネル５を折り重ねておくことで、不使用時の保管を容易かつ確実に行うことができる。シート２０が段ボールシートからなる場合、段ボールシートの中芯の稜線は上下方向に延びることが好ましい。
【００２１】
（遮蔽パネル）
遮蔽パネル１は、略矩形状の本体１１と、本体１１の上縁から延出する凸部１２とを有する。本体１１の一対の側縁は、遮蔽パネル１の一対の側縁１ａを構成している。一対の側縁１ａは上下方向に延びている。凸部１２は、一対の側縁１ａよりも左右方向内側から延出している。凸部１２は、本体１１の左右方向の中央部を基準として左右対称な形状である。本体１１の上縁のうち、凸部１２と接続される部分の左右両側に位置する部分は、一対のロック片３を下方から支持する一対の支持部１１ａを構成している。一対の支持部１１ａは左右方向に直線状に延びている。
【００２２】
凸部１２は、上下方向長さに対して左右方向長さが大きい略矩形状である。凸部１２先端縁（凸部１２の上縁）は、本体１１の上縁と平行である。凸部１２は、一対の支持部１１ａ同士の間から上方に突出しており、一対のロック片３の先端縁と係合する。凸部１２は、一対のロック片３に形成される後述のスリット（第２スリット３ａ）と咬合する一対のスリット（第１スリット１２ａ）を有する。一対の第１スリット１２ａは、凸部１２の両側縁の基端部分に設けられている。
【００２３】
本体１１は、天板Ｘに接地される底縁１１ｂを有する。底縁１１ｂには、切り欠き１１ｃ、１１ｄが形成されている。切り欠き１１ｃ、１１ｄは、例えば天板Ｘ上に配置され得る電子機器の配線等が通過できるように構成されている。
【００２４】
本体１１の左右方向長さとしては、例えば５０ｃｍ以上１５０ｃｍ以下とすることができる。本体１１の上下方向長さとしては、例えば３５ｃｍ以上１００ｃｍ以下とすることができる。
【００２５】
窓部１ｂは、本体１１の上方に設けられている。窓部１ｂは、本体１１から凸部１２に跨る領域に設けられていてもよい。遮蔽パネル１に設けられる窓部１ｂの個数は特に限定されるものではない。本実施形態では、遮蔽パネル１に一対の窓部１ｂが設けられている。窓部１ｂは、当該衝立１０を介して接する他者が視認できるように設けられている。窓部１ｂの形状としては、特に限定されるものではない。本実施形態において、窓部１ｂは、左右方向を長手方向とする長円状である。窓部１ｂの左右方向長さとしては、例えば１５ｃｍ以上５０ｃｍ以下とすることができる。窓部１ｂの上下方向長さとしては、例えば５ｃｍ以上４０ｃｍ以下とすることができる。
【００２６】
（側面パネル）
一対の側面パネル２は、遮蔽パネル１の一対の側縁１ａから左右方向に延出している。一対の側面パネル２と遮蔽パネル１との間の境界線には折り曲げ容易線が形成されている。一対の側面パネル２は、遮蔽パネル１の本体１１に形成される支持部１１ａから左右方向に連続して延びる上縁２ａを有する。また、一対の側面パネル２は、本体１１の底縁１１ｂから左右方向に連続して延びる底縁２ｂを有する。一対の側面パネル２の底縁２ｂは、本体１１の底縁１１ｂと共に天板Ｘに接地される。
【００２７】
側面パネル２の底縁２ｂには、切り欠き２ｃが形成されている。切り欠き２ｃは、遮蔽パネル１の本体１１に設けられる切り欠き１１ｄと連続して設けられている。切り欠き２ｃは、例えば天板Ｘ上に配置され得る電子機器の配線等が通過できるように構成されている。
【００２８】
図３に示すように、側面パネル２は、左右方向に間隔を空けて上下方向に延びる１又は複数の折り曲げ容易線２ｄを有する。当該衝立１０は、側面パネル２が１又は複数の折り曲げ容易線２ｄを有することで、天板Ｘ上の他の部材の配置等に合わせて所望の折り曲げ容易線２ｄを折り曲げることによって、天板Ｘ上に安定的に配置しやすい。また、折り曲げ容易線２ｄを切断容易線によって形成することで、当該衝立の設置スペース等に応じて折り曲げ容易線２ｄを切断することが可能となり、当該衝立１０の使用性を高めることができる。
【００２９】
側面パネル２の左右方向長さとしては、当該衝立１０を天板Ｘ上に安定的に配置できる限り特に限定されるものではない。側面パネル２の左右方向長さとしては、例えば２０ｃｍ以上５０ｃｍ以下とすることができる。
【００３０】
（ロック片）
一対のロック片３は、一対の側面パネル２の上縁２ａから延出している。図１及び図２に示すように、一対のロック片３は、一対の側面パネル２の対向方向内側に垂直に折り曲げられている。一対のロック片３は、折り曲げられた状態で、遮蔽パネル１の本体１１に形成される一対の支持部１１ａによって下方から支持される。当該衝立１０は、一対のロック片３が一対の支持部１１ａによって下方から支持され、かつこれらのロック片３の先端縁が遮蔽パネル１の凸部１２に係合されることで、一対のロック３片によって遮蔽パネル１及び一対の側面パネル２を容易かつ確実に固定することができる。
【００３１】
ロック片３は、その先端縁に遮蔽パネル１の凸部１２に設けられた第１スリット１２ａと咬合するスリット（第２スリット３ａ）を有する。つまり、当該衝立１０は、凸部１２及び一対のロック片３が互いに咬合する第１スリット１２ａ及び第２スリット３ａを有している。ロック片３は、当該衝立１０の展開状態（図３の状態）で側面パネル２の上縁２ａと平行な先端縁を有しており、第２スリット３ａは、この先端縁からこの先端縁の垂直方向に延びている。当該衝立１０は、凸部１２及び一対のロック片３が互いに咬合するスリット１２ａ、３ａを有することによって、一対のロック片３と遮蔽パネル１とを容易かつ確実に係合することができる。また、この構成によると、一対のロック片３と遮蔽パネル１との着脱が容易となる。その結果、一対のロック片３と遮蔽パネル１との係合を解除した状態での保管が容易となる。これにより、不使用時の保管スペースを節約することができる。
【００３２】
（枠パネル）
枠パネル５は、遮蔽パネル１の凸部１２の先端縁から延出している。枠パネル５は、遮蔽パネル１と折り重ねられる本体１３と、凸部１２及び本体１３を接続する接続部１４とを有する。枠パネル５（より詳しくは、本体１３）は、窓部１ｂと重なり合う開口１３ａを有する。開口１３ａの形状と窓部１ｂの形状とは同じであることが好ましい。当該衝立１０は、枠パネル５が樹脂フィルム４を挟み込んだ状態で遮蔽パネル１に折り重ねられるので、樹脂フィルム４を窓部１ｂを覆った状態で安定的に保持しやすい。
【００３３】
枠パネル５は、樹脂フィルム４を挟んだ状態で遮蔽パネル１と接続される。本実施形態において、枠パネル５と遮蔽パネル１とは、樹脂フィルム４を挟んだ状態で内面同士（対向する面同士）が接着されている。この構成によると、枠パネル５と遮蔽パネル１との間で樹脂フィルム４を安定的に保持しやすい。
【００３４】
枠パネル５は、ロック片３に形成された第２スリット３ａと咬合するスリット（第３スリット１３ｂ）を有する。図４に示すように、枠パネル５が遮蔽パネル１に折り重ねられた状態で、第３スリット１３ｂは、遮蔽パネル１の凸部１２に設けられた第１スリット１２ａと重なり合う。これにより、図５に示すように、当該衝立１０は、一対のロック片３を垂直に折り曲げた状態で、凸部１２の第１スリット１２ａと枠パネル５の第３スリット１３ｂとがロック片３の第２スリット３ａに対して同時に咬合する。その結果、遮蔽パネル１と枠パネル５とが、ロック片３の第２スリット３ａの側縁間に挟み込まれる。当該衝立１０は、遮蔽パネル１及び枠パネル５をロック片３に対して一体的に係合することができ、これにより、一対のロック片３によって遮蔽パネル１及び一対の側面パネル２をより確実に固定することができる。
【００３５】
（樹脂フィルム）
樹脂フィルム４は、窓部１ｂの全領域を覆うように配置される。樹脂フィルム４は、例えば遮蔽パネル１及び／又は枠パネル５に直接固定されてもよい。一方で、樹脂フィルム４は、必要に応じて容易に取り替え又は取り外しできるよう、遮蔽パネル１及び枠パネル５には固定されない構成とすることも可能である。例えば、窓部１ｂの下方で遮蔽パネル１と枠パネル５とを接続しておき、樹脂フィルム４を枠パネル５の側方から、枠パネル５と遮蔽パネル１との間に着脱可能に挿入する構成を採用することも可能である。この場合、樹脂フィルム４としては、例えば薄板状のシートを用いることができる。
【００３６】
＜利点＞
当該衝立１０は、遮蔽パネル１及び一対の側面パネル２が一対のロック片３によって平面視でコ字状に固定されるので、この状態で天板Ｘ上に配置することができる。当該衝立１０は、遮蔽パネル１が窓部１ｂを有するので、この窓部１ｂを介して他者を視認することができる。また、当該衝立１０は、窓部１ｂが透明な樹脂フィルム４によって覆われているので、窓部１ｂを有する場合でも、他者との間を空間的に隔離することができる。従って、当該衝立１０によると、他者との間を空間的に隔離しつつ、窓部１ｂを介して他者とのコミュニケーションを適度に取ることができる。
【００３７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３８】
例えば上記一対のロック片は、上記遮蔽パネルから延出していてもよい。この場合、上記一対のロック片を上記一対の側面パネルと係合することで、上記一対のロック片によって上記遮蔽パネルと上記一対の側面パネルとを固定することができる。
【００３９】
当該衝立は、上述の枠パネルを備えない構成とすることも可能である。また、当該衝立は、上記枠パネルが上記遮蔽パネルと別体として構成されていてもよい。
【００４０】
上記一対のロック片は、例えば上記一対の側面パネルの上縁以外の部分から延出していてもよい。また、上記遮蔽パネル及び／又は上記枠パネルと上記ロック片とは、スリット同士の咬合以外の手段で係合されてもよい。例えば上記ロック片のみにスリットが形成されており、このスリットの側縁間に上記遮蔽パネル等を嵌め込む構成を採用することも可能である。
【産業上の利用可能性】
【００４１】
以上のように、本考案の一態様に係る衝立は、衛生的な観点から他者との間を空間的に隔離するのに適している。
【符号の説明】
【００４２】
１  遮蔽パネル
１ａ  側縁
１ｂ  窓部
２  側面パネル
２ａ  上縁
２ｂ  底縁
２ｃ  切り欠き
２ｄ  折り曲げ容易線
３  ロック片
３ａ  第２スリット
４  樹脂フィルム
５  枠パネル
１０  衝立
１１  本体
１１ａ  支持部
１１ｂ  底縁
１１ｃ  切り欠き
１１ｄ  切り欠き
１２  凸部
１２ａ  第１スリット
１３  本体
１３ａ  開口
１３ｂ  第３スリット
１４  接続部
Ｘ  天板
【図１】
0003227425.tif 000003
【図２】
0003227425.tif 000004
【図３】
0003227425.tif 000005
【図４】
0003227425.tif 000006
【図５】
0003227425.tif 000007